(57)【要約】【課題】表示部と放送受信部が分離したワイヤレスＴＶ受像機のようなワイヤレスＡＶ機器においては、一体型のＡＶ機器に比べ、ユーザが何らかの入力を行ってから、動作が完了するまでの遅延時間が大きい。【解決手段】電源起動時など、表示部及び放送受信部側の状態が同期できていない場合のみ、状態遷移の同期を行い、一度状態同期が完了した後は、チャンネル切換や外部ＡＶ機器の入力切換等の入力が行われた表示部は、制御信号の送信を行い、ＡＣＫフレームの受信により無線伝送が正常に行われた時点で、表示部の状態遷移を行うことにより、表示部と放送受信部側の状態遷移の同期を除くことにより、機能切換の時間を短縮する。【選択図】図１
2006253882.tif 000002
【特許請求の範囲】
【請求項１】
データの受信部と表示部が分離して互いに無線通信を行うワイヤレスＡＶ機器であって、
前記受信部は、前記表示部より動作要求を受信すると、前記動作要求を正常に受信したことを前記表示部に通知し、
前記表示部は前記通知を受信すると、自身の状態を前記要求の状態に遷移させることを特徴とするワイヤレスＡＶ機器。
【請求項２】
データの受信部と表示部が分離して互いに無線通信を行うワイヤレスＡＶ機器であって、
前記受信部は、前記表示部よりデータの送信要求を受信すると、受信してから一定期間、送信するデータのエンコードレートを通常のレートよりも低くすることを特徴とするワイヤレスＡＶ機器。
【請求項３】
表示部より、受信したデータの表示を開始したという通知を受けると、送信するデータのエンコードレートを通常のレートに戻すことを特徴とする請求項２記載のワイヤレスＡＶ機器。
【発明の詳細な説明】
【技術分野】
【０００１】
本発明は８０２．１１ａや８０２．１１ｂ等の無線ＬＡＮ及びＢｌｕｅｔｏｏｔｈ等の無線通信を利用したワイヤレスＡＶ機器における応答性向上に関するものである。
【背景技術】
【０００２】
図４に従来のワイヤレスＡＶ機器を示す。図４は、表示部２００と放送受信部１００が分離したワイヤレスＴＶ受像機の一例である。放送受信部１００にはテレビ放送を受信し映像や音声信号を復調する機能の他に、ＶＴＲ等の外部ＡＶ機器１０５が接続される。表示部２００は宅内におけるテレビ放送受信アンテナ端子の場所の制限を受けることなく、設置することが可能である。
【０００３】
チャンネル切換や外部ＡＶ機器１０５の入力切換や音量調整などの制御信号等はリモコン３０１により入力され、制御信号はＩｒＤＡ３０３により受信され、制御マイコン２０１により無線モジュール２０２よりアンテナ１０９を介して放送受信部１００側に送信され、放送受信部１００は、アンテナ１０８により制御信号を受信し、表示部２００と無線接続している方式を利用して、表示部２００に通知する。無線接続としては、ＩＥＥＥ８０２．１１ａやＩＥＥＥ８０２．１１ｂ（ＩＥＥＥ８０２．１１ Ｈｉｇｈ−Ｒａｔｅ  Ｄｉｒｅｃｔ  Ｓｅｑｕｅｎｃｅ）等の無線ＬＡＮ及びＢｌｕｅｔｏｏｔｈなどを使用する。
【０００４】
又は表示部２００にある設定ボタン３０２に直接入力されることにより、表示部２００は、同様に放送受信部１００と無線接続している方式を利用して、放送受信部１００に通知する。
【０００５】
チャネル切換や入力切換等を表示部２００からアンテナ１０８、無線モジュール１０１を介して受信した放送受信部１００は、制御マイコン１０７が、ＡＶスイッチ１０４、ＭＰＥＧエンコーダ１０２、無線モジュール１０１を制御して、チャネル切換や入力切換等、表示部２００から要求された内容を実行し、実行結果を表示部２００に通知し、表示部２００と放送受信部１００の状態遷移の同期の確認を完了した時点で、表示部２００の表示を切り換える。
【０００６】
また、放送受信部１００において、アンテナ１０６または、外部ＡＶ機器１０５より受信した映像信号や音声信号はＡＶスイッチ１０４、Ａ／Ｄ変換部１０３を介して、ＭＰＥＧエンコーダ１０２に入力される。制御マイコン１０７の制御に従って、ＭＰＥＧエンコーダ１０２は入力されたデータをＭＰＥＧ（Ｍｏｖｉｎｇ  Ｐｉｃｔｕｒｅ  Ｅｘｐｅｒｔｓ  Ｇｒｏｕｐ）方式にエンコード（データ圧縮）し、無線モジュール１０１はエンコードされたデータをデータフレーム化して、アンテナ１０８を介して表示部２００に送信する。
【０００７】
表示部２００は、放送受信部１００より送信された映像信号や音声信号をアンテナ１０９、無線モジュール２０２を介して受信し、バッファ２０３に一定量蓄積された後に、制御マイコン２０１の制御に従って、ＭＰＥＧデコーダ２０４によりデコードして、Ｄ／Ａ変換部２０５によりＤ／Ａ変換を行って、ディスプレイ２０７に映像を表示し、スピーカ２０６に音声発声を行う。
【０００８】
このように構成された従来のワイヤレスＡＶ機器においては、特許文献１および特許文献２に示されるように、放送受信部１００と表示部２００間の無線状態に応じて、映像コンテンツレートと無線伝送レートを切り換えるものがある。
【特許文献１】特開２００３−１７９６６３号公報
【特許文献２】特開２００４−８０３２１号公報
【発明の開示】
【発明が解決しようとする課題】
【０００９】
しかしながら、表示部２００に入力されたチャンネル切換や外部ＡＶ機器の入力切換などの制御信号は、表示部２００で要求された内容を判別することは可能であるが、機能が放送受信部１００にあることから、一度放送受信部１００に制御信号の送信を行い、放送受信部１００の状態遷移が実行された後、放送受信部１００が状態遷移したことを表示部２００に送信して、表示部２００と放送受信部１００との状態遷移の同期を行った後、表示部２００の状態遷移が行われるので、チャンネル切換や外部ＡＶ機器の入力切換等の放送受信部１００に機能が搭載されている機能制御を行った場合は、機能切換入力から機能切換が行われるまでの遅延時間が、表示部２００と放送受信部１００が一体化されたＴＶ受像機に比べ大きい。
【００１０】
また、チャンネル切換や外部ＡＶ機器の入力切換などにより、映像信号や音声信号がこれまで送受信していたものと切り換える場合、一定フレームのデータをバッファ２０３に蓄積してから、デコードされるために、一定フレームのデータをバッファ２０３に蓄積するまでの間、デコード処理が開始できず、映像の切換入力が行われてから映像切換が行われるまでの遅延時間が、表示部２００と放送受信部１００が一体化されたＴＶ受像機に比べ大きくなる。
【課題を解決するための手段】
【００１１】
電源起動時など、表示部及び放送受信部側の状態が同期できていない場合のみ、状態遷移の同期を行い、一度状態同期が完了した後は、チャンネル切換や外部ＡＶ機器の入力切換等の入力が行われた表示部は、制御信号の送信を行い、ＡＣＫフレームの受信により無線伝送が正常に行われた時点で、表示部の状態遷移を行うことで、表示部と放送受信部側の状態遷移の同期を除くことができ、機能切換の時間を短縮する。
【００１２】
また、チャンネル切換や外部ＡＶ機器の入力切換などが発生した場合の、映像信号や音声信号の切換時の、一定時間の間のみ、エンコードレートを低くすることで、短時間で一定フレームのデータを表示部側に蓄積する事により、デコード開始時間を短縮することにより、映像切換の時間を短縮する。
【発明の効果】
【００１３】
リモコンや表示部に搭載しているボタン入力により、チャンネル切換や外部ＡＶ機器の入力切換等の機能切換が行われた場合、機能切換や映像の切換までに要する時間の短縮が行える。
【発明を実施するための最良の形態】
【００１４】
以下、本発明の実施の形態について、図面を参照して説明する。
【００１５】
（実施の形態１）
図１は本発明の実施の形態１におけるワイヤレスＡＶ機器の一構成を示すブロック図である。図１において、図４と同じ動作を行う構成要素に関しては、同一の符号を付与し、説明を省略する。図１において、制御マイコン１０７０の制御に従って、無線モジュール１０１０は表示部２００より送信されたデータフレームを正常に受信すると、ＡＣＫフレームをデータフレームの送信先に送信する。
【００１６】
図２に本実施の形態における動作フローを示す。
【００１７】
最初、放送受信部１００および表示部２００は同じ状態Ａにあるとする。
【００１８】
まず、リモコン３０１から放送受信部１００に対して設定要求を行う場合、表示部２００において、リモコン３０１から設定要求をＩｒＤＡ３０３で受信する。制御マイコン２０１はＩｒＤＡ３０３で受信した設定要求の制御信号をデータフレーム化し、無線モジュール２０２、アンテナ１０９を介して放送受信部１００に送信する（ステップＳ２００１）。
【００１９】
放送受信部１００の無線モジュール１０１０は表示部２００より送信されたデータフレームを正常に受信するとＡＣＫ（ＡＣＫｋｎｏｗｌｅｄｇｍｅｎｔ）フレームを表示部２００に送信する（ステップＳ２００２）。ＡＣＫフレームを受信した表示部２００は、リモコン３０１で要求された状態Ｂに遷移する。
【００２０】
放送受信部１００は、表示部２００より設定要求を受けた状態Ｂに遷移すると、表示部２００に対して、設定要求応答をデータフレーム化して送信する。
【００２１】
以上のように、ＡＣＫフレームの受信により無線伝送が正常に行われた時点で、表示部の状態遷移を行うことにより、表示部と放送受信部側の状態遷移の同期を除くことができ、機能切換の時間を短縮することができる。
【００２２】
（実施の形態２）
本実施の形態におけるワイヤレスＡＶ機器の構成は実施の形態１と同様である。
【００２３】
図３は本実施の形態におけるワイヤレスＡＶ機器の動作を示すフロー図である。
【００２４】
以下、図３を用いて、本実施の形態の動作について説明する。
【００２５】
映像１を映像レートＡ（Ａ＞０）で表示中（ステップＳ３００１）に、リモコン３０１から放送受信部１００に対して映像２への映像切換要求が行われた場合、表示部２００がリモコン３０１から映像切換の要求をＩｒＤＡ３０３で受信し、表示部２００は映像切換要求の制御信号をデータフレーム化して、放送受信部１００に対して送信する（ステップＳ３００２）。放送受信部１００の無線モジュール１０１０は表示部２００より送信されたデータフレームを正常に受信するとＡＣＫ（ＡＣＫｋｎｏｗｌｅｄｇｍｅｎｔ）フレームを表示部２００に送信する（ステップＳ３００３）。
【００２６】
映像切換要求を受信した放送受信部１００は、制御マイコン１０７０の制御によりＭＰＥＧエンコーダ１０２において、映像レートＡよりも低レートな映像レートB（０＜Ｂ＜Ａ）で映像２の信号をエンコードし、無線モジュール１０１０でデータフレーム化して送信する（ステップＳ３００４）。
【００２７】
データフレーム化された映像２の信号を受信した表示部２００は、制御マイコン２０１の制御に従って、バッファ２０３に画像表示可能なデータ量を蓄積後、映像２の表示を行い、無線モジュール２０２により映像２の表示を開始したことを通知する信号をデータフレーム化して、放送受信部１００に対して送信する（ステップＳ３００５）。
【００２８】
映像２の表示が開始されたことを通知する信号を受信した放送受信部１００は、制御マイコン１０７０の制御に従って、無線モジュール１０１０が表示部２００にＡＣＫフレームを送信し（ステップＳ３００６）、ＭＰＥＧエンコーダ１０２が映像レートを映像レートＡに戻してエンコーダを行い、無線モジュール１０１０から映像２の信号の送信を継続する（ステップＳ３００７）。
【産業上の利用可能性】
【００２９】
ワイヤレスＴＶ受像機だけでなく、映像・音声のストリーミングを行うワイヤレスＡＶ機器すべての課題であり、解決策となり得るため、ワイヤレスＡＶ機器全般に適用できる。
【図面の簡単な説明】
【００３０】
【図１】本発明のワイヤレスＡＶ機器の一構成を示すブロック図
【図２】応答性向上のための手順を示すフロー図
【図３】映像レートの可変手順の手順を示すフロー図
【図４】従来のワイヤレスＡＶ機器の構成を示すブロック図
【符号の説明】
【００３１】
１０２  ＭＰＥＧエンコーダ
１０３  Ａ／Ｄ変換部
１０４  ＡＶスイッチ
１０５  外部ＡＶ機器
１０６、１０８、１０９  アンテナ
２０１、１０７０  制御マイコン
２０２、１０１０  無線モジュール
２０３  バッファ
２０４  ＭＰＥＧデコーダ
２０５  Ｄ／Ａ変換部
２０６  スピーカ
２０７  表示装置
３００  設定入力装置
３０１  リモコン
３０２  設定ボタン
３０３  ＩｒＤＡ部
【図１】
2006253882.tif 000003
【図２】
2006253882.tif 000004
【図３】
2006253882.tif 000005
【図４】
2006253882.tif 000006